(57)【特許請求の範囲】
【請求項１】
冷媒流体を加熱し加圧するように適合されたコンプレッサ（ＣＰ）と、
暖房モードにおいて、前記コンプレッサ（ＣＰ）から来た前記冷媒流体との交換によって、内部空気の加熱に寄与することが可能な内部コンデンサ（ＣＤＩ）と、
暖房モードにおいて、外部コンデンサ（ＣＤＥ）に供給される外部空気との交換によって、外部減圧器（ＤＴＥ）から来た前記冷媒流体を加熱することが可能な外部エバポレータ（ＥＥ）とを備える、暖房／空調設備（ＩＣ）であって、
前記外部コンデンサ（ＣＤＥ）に隣接して前記外部エバポレータ（ＥＥ）が設けられ、
前記外部コンデンサ（ＣＤＥ）は、暖房モードにおいて、内部コンデンサ（ＣＤＩ）から来た前記冷媒流体を収集することが可能であって、収集した冷媒流体は前記外部減圧器（ＤＴＥ）に供給され、
前記外部コンデンサ（ＣＤＥ）は、隣接する前記外部エバポレータ（ＥＥ）の熱源となって、外部空気が低温であるときに前記外部エバポレータ（ＥＥ）が氷結する可能性を低減し、
冷房モードにおいて、前記冷媒流体を冷却することが可能な前記外部コンデンサ（ＣＤＥ）と、
冷房モードにおいて、前記外部コンデンサ（ＣＤＥ）から前記内部減圧器（ＤＴＩ）を経由して来た前記冷媒流体との交換によって前記内部空気を冷却することが可能な内部エバポレータ（ＥＩ）とを備えることを特徴とする、暖房／空調設備（ＩＣ）。
【請求項２】
前記外部コンデンサ（ＣＤＥ）と前記外部エバポレータ（ＥＥ）とが、１つの熱交換器の２つの隣接するサブユニットを構成することを特徴とする、請求項１に記載の設備。
【請求項３】
前記外部コンデンサ（ＣＤＥ）と前記外部エバポレータ（ＥＥ）とが、２つの独立した隣接する熱交換器を構成することを特徴とする、請求項１に記載の設備。
【請求項４】
前記外部コンデンサ（ＣＤＥ）が、冷房モードにおいて、予冷却された冷媒流体を前記内部減圧器（ＤＴＩ）に供給するように、前記外部空気との交換によって、前記コンプレッサ（ＣＰ）から来た前記冷媒流体を予冷却することが可能であることを特徴とする、請求項１に記載の設備。
【請求項５】
前記コンプレッサ（ＣＰ）のアウトレットと結合されたインレットと、前記内部コンデンサ（ＣＤＩ）のインレットと結合された第１のアウトレットと、前記外部コンデンサ（ＣＤＥ）の第１のインレット／アウトレットと結合された第２のアウトレットとを含む第１の三方弁（Ｖ１）を含むことを特徴とする、請求項１乃至４のいずれか一項に記載の設備。
【請求項６】
前記内部コンデンサ（ＣＤＩ）のアウトレットと結合されたインレットと、前記内部エバポレータ（ＥＩ）のインレットと結合されたアウトレットと、前記外部コンデンサ（ＣＤＥ）の第２のインレット／アウトレットと結合されたインレット／アウトレットとを含む第２の三方弁（Ｖ２）を含むことを特徴とする、請求項４または５に記載の設備。
【請求項７】
前記第１のバルブ（Ｖ１）の第２のアウトレットと結合された第１のインレットと、前記外部減圧器（ＤＴＥ）のインレットに結合されたアウトレットと、前記外部コンデンサ（ＣＤＥ）の前記第１のインレット／アウトレットと結合されたインレット／アウトレットを含む第３の三方弁（Ｖ３）を含むことを特徴とする、請求項５または６に記載の設備。
【請求項８】
前記内部エバポレータ（ＥＩ）のアウトレットと結合された第１のインレットと、前記外部エバポレータ（ＥＥ）のアウトレットと結合された第２のインレットと、前記コンプレッサ（ＣＰ）のインレットと結合されたアウトレットとを含む第４の三方弁（Ｖ４）を含むことを特徴とする、請求項４乃至７のいずれか一項に記載の設備。
【請求項９】
前記内部コンデンサ（ＣＤＩ）が、暖房モードにおいて、前記コンプレッサ（ＣＰ）から来た前記冷媒流体との交換によって、前記内部空気を加熱することが可能であることを特徴とする、請求項１乃至８のいずれか一項に記載の設備。
【請求項１０】
前記内部コンデンサ（ＣＤＩ）が、暖房モードにおいて、熱交換によって前記内部空気を加熱するための専用エアヒータ（ＡＲ）に供給されることになる熱伝達流体を、前記コンプレッサ（ＣＰ）から来た前記冷媒流体との交換によって加熱することが可能であることを特徴とする、請求項１乃至８のいずれか一項に記載の設備。
【請求項１１】
請求項１乃至１０のいずれか一項に記載の暖房／空調設備を含むことを特徴とする、車両。
【発明の詳細な説明】
【技術分野】
【０００１】
本発明は、自動車などのある特定の車両、ならびにある特定の建築物に備えつける暖房／空調設備に関する。
【背景技術】
【０００２】
当業者には知られているように、ある特定の暖房／空調設備は、暖房モードでも冷房モードでも作動することが可能である可逆ヒートポンプを含む。特に、この効果のために、可逆ヒートポンプは、暖房モードにおいて、加熱され加圧された冷媒流体との交換によって内部空気の加熱に寄与する内部コンデンサと、暖房モードにおいて、外部空気との交換によって冷却され減圧された冷媒流体を加熱する外部エバポレータとを備える。
【０００３】
以下において、「外部」とは、外部空気との熱交換プロセスで使用されるデバイス（すなわち、外部エバポレータ、または内部エバポレータに供給する外部減圧器）を示すものと理解され、「内部」とは、内部空気との熱交換プロセスで使用されるデバイス（たとえば、内部コンデンサまたは内部エバポレータ、あるいはさらに内部エバポレータに供給している内部減圧器など）を示すものと理解される。
【０００４】
低温または極めて低温である場合、つまり、外部空気の温度が零下である、または０℃に近づいているとき、外部空気と、内部コンデンサから来て外部エバポレータ中を循環する部分的に冷却された冷媒との接触により、頻繁に外部エバポレータが氷結し、その氷結は機能に悪影響を与え、したがって設備の効果を低下させる。
【０００５】
この欠点を矯正するために、多くの解決策が提案されてきた。
【０００６】
したがって、特許文献ＦＲ２５２５３３０に最も顕著に記載されている第１の解決策は、冷却回路から（たとえば、車両モータから）来た熱伝達流体が循環する、氷結除去に専用の外部エバポレータに連結する導管を備えている。この第１の解決策の欠点は、この解決策が外部エバポレータの重要な修正を必要とするということである。さらに、「全電気」車両または「ハイブリッド」車両において、あるいは建築物において顕著なように、熱伝達流体が実際に存在しないか、または暖房モードにおいて予想されるエネルギーから利用できないときには、極めて使用が困難であることがわかる。
【０００７】
特許文献ＧＢ９８８８７４に最も顕著に記載されている第２の解決策は、内部コンデンサ中を循環する冷媒液体により外部エバポレータを加熱することができるように、内部コンデンサと同じハウジング内に外部エバポレータを埋め込むことを含んでいる。この第２の解決策の欠点は、自動車に実装するのが極めて不都合であるか、あるいは不可能でさえあり、性能全体に対して悪影響があることである。
【０００８】
特許文献ＵＳ５，５８６，４４８に顕著に記載されている第３の解決策は、外部エバポレータを通って循環する熱伝達流体の加熱のための追加の電気ラジエータの使用を含んでいる。この第３の解決策の欠点は、外部エバポレータの修正だけでなく、追加の電気加熱デバイスをも必要し、それにより、それ自体が極めて扱いにくくなり、（電気車両またはハイブリッド車両の場合に広範囲に不利に作用する）エネルギー不足になることにある。
【発明の概要】
【発明が解決しようとする課題】
【０００９】
したがって、本発明の目的は、上述の欠点の全部または一部をもたらさない暖房／空調設備を提案することである。
【課題を解決するための手段】
【００１０】
特に、この傾向において、本発明は、
−  冷媒流体の加熱および加圧のためのコンプレッサと、
−  暖房モードにおいて、コンプレッサから来た冷媒流体との交換を通じて、内部空気の加熱に寄与する専用の内部コンデンサと、
−  暖房モードにおいて、（外部エバポレータに供給する前に）冷媒流体を冷却する専用の外部減圧器（ＤＴＥ）
−  暖房モードにおいて、コンプレッサに供給するために、外部空気の交換によって、外部減圧器から来た冷媒流体を加熱する外部エバポレータ（ＥＥ）と、
−  暖房モードにおいて、外部減圧器に供給するために、内部コンデンサから来た冷媒流体を収集する専用の外部エバポレータに隣接し、外部空気が低温であるときに隣接する外部エバポレータが完全に氷結する可能性を低減するように、隣接する外部エバポレータのための熱源を構成する外部コンデンサ（ＣＤＥ）と、
を備え、
−  外部コンデンサは、一部が気体状で、一部が液状の形態で内部コンデンサから来た冷媒流体を、そのインレットにおいて収集する、それにより、そのアウトレットにおいて液状形態で冷媒流体を提供する、
暖房／空調設備を提案する。内部コンデンサのインレットでは、冷媒流体は気体状形態である。したがって、気相から液相へ冷媒流体の凝縮は２つの部分で行われ、第１の部分は内部コンデンサのレベルで、それに続いて、第２の部分は外部コンデンサのレベルで行われる。液状形態の冷媒流体を移送するホースをいくつか設けることと比較すると、外部コンデンサがあることにより、より多くのカロリーを、したがって、より多くの熱を外部エバポレータに伝達し、さらに、外部エバポレータが完全に氷結するリスクを下げることができるようになる。
【００１１】
また、本発明による暖房／空調設備は、別々に、または、組合せて採用することができる他の特性を特徴とし、詳細には以下の通りである。
−  外部コンデンサと外部エバポレータとは、同じ熱交換器の２つの隣接するサブユニット、または２つの独立した隣接する熱交換器を構成することができる。
−  冷却モードにおいて、冷媒流体を冷却する専用の内部減圧器と、冷房モードにおいて、内部減圧器から来た前記冷媒流体との交換によって内部空気を冷却する内部エバポレータとを特徴とすることができる。
−  外部コンデンサは、冷房モードにおいて、予冷却された冷媒流体を内部減圧器に供給するように、外部空気との交換によって、コンプレッサから来た冷媒流体を予冷却する専用とすることができる。
−  コンプレッサの出力と結合された第１のインレットと、コンプレッサのインプットと結合された第１のアウトレットと、外部コンデンサの第１のインレット／アウトレットと結合された第２のアウトレットとを含む第１の三方弁を特徴とすることができる。
−  内部コンデンサのアウトレットと結合されたインレットと、内部エバポレータのインレットに結合されたアウトレットと、外部コンデンサの第２のインレット／アウトレットに結合されたインレット／アウトレットと含む第２の三方弁を特徴とすることができる。
−  第１のバルブの第２のアウトレットと結合された第１のインレットと、外部減圧器のインレットに結合されたアウトレットと、前記外部コンデンサの第１のインレット／アウトレットに結合されたインレット／アウトレットとを含む第３の三方弁を特徴とすることができる。
−  内部エバポレータのアウトレットと結合された第１のインレットと、外部エバポレータのアウトレットと結合された第２のインレットと、コンプレッサのインレットと結合されたアウトレットと含む第４の三方弁を特徴とすることができる。
−  内部コンデンサは、暖房モードにおいて、コンプレッサから来た冷媒流体との交換によって、内部空気を加熱する専用とすることができる。
−  代替として、内部コンデンサは、暖房モードにおいて、熱交換によって内部空気を加熱するための専用エアヒータに供給されることになる熱伝達流体を、コンプレッサから来た冷媒流体との交換によって加熱する専用とすることができる。
【００１２】
さらに、本発明は、上述したタイプの暖房／空調設備を特徴とする、自動車のような車両を提案する。本発明の他の特徴および利点は、以下の詳細な説明を精査し、添付の図面を参照すると明らかになるであろう。
【図面の簡単な説明】
【００１３】
【図１】暖房モードにおける本発明による暖房／空調設備の第１の実施形態を概略的かつ機能的な形態で示した図である。
【図２】暖房モードにおける本発明による暖房／空調設備の第２の実施形態を概略的かつ機能的な形態で示した図である。
【図３】冷却モードにおける本発明による暖房／空調設備の第１の実施形態を概略的かつ機能的な形態で示した図である。
【発明を実施するための形態】
【００１４】
添付の図面は、場合に応じて、本発明を補完するとともに本発明の定義に寄与するのに役立ち得る。
【００１５】
本発明の目的は、可逆ヒートポンプ暖房／空調設備（ＩＣ）を提案することである。
【００１６】
以下において、非排他的な例として、暖房／空調設備（ＩＣ）は、たとえば、「完全電気」タイプまたは「ハイブリッド」タイプなどの車など、自動車に属すると考える。しかしながら、本発明はこの用途に限定されるものではない。実際には、本発明は、車両または建築物に設置されることになるかどうかにかかわらず、任意の可逆ヒートポンプ型暖房／空調設備に関与する。
【００１７】
図１〜図３に、本発明による暖房／空調設備ＩＣの２つの実施形態を概略的に示す。図１および図３に示される第１の実施形態は、たとえば、電気自動車または建築物に設置されることになる。図２に示される第２の実施形態は、たとえば、ハイブリッド自動車に埋め込まれることになる。
【００１８】
本発明による暖房／空調設備ＩＣは、必要に応じて、暖房モードまたは冷却モードで作動することになる。特に、この目的のために、暖房／空調設備ＩＣは、コンプレッサＣＰ、内部コンデンサＣＤＩ、外部減圧器ＤＴＥ、外部エバポレータＥＥおよび外部コンデンサＣＤＥを特徴とし、それらはすべて少なくとも暖房モードで使用される。
【００１９】
コンプレッサＣＰは、暖房モードでは、外部エバポレータＥＥから来る冷媒流体を加熱し、加圧する。
【００２０】
内部コンデンサＣＤＩは、暖房モードでのみ使用される。内部コンデンサＣＤＩは、コンプレッサＣＰによって加圧された高温のガスに変換される冷媒流体との交換によって、（ここでは車室の内部から来る）内部空気の加熱に寄与する。内部コンデンサＣＤＩは、そのアウトレットで、内部空気との交換中に部分的に冷却された液相の冷媒流体を送出する。
【００２１】
図１および図３に示した例では、内部コンデンサＣＤＩは、ガス／空気タイプのものである。したがって、内部コンデンサＣＤＩを使用して、内部コンデンサＣＤＩの導管中を、または内部コンデンサＣＤＩの積層パネル間を循環する冷媒流体（高温の加圧されたガス）との交換によって、内部コンデンサＣＤＩを通過する内部空気を加熱する。
【００２２】
図２に示した例では、内部コンデンサＣＤＩは、ガス／液体タイプのものである。したがって、内部コンデンサＣＤＩは、内部コンデンサＣＤＩの導管の一部の中を、または、内部コンデンサＣＤＩの積層パネルの特定の部分間を循環する冷媒流体（高温の加圧されたガス）との交換によって、冷却回路から来た、内部コンデンサＣＤＩの他の導管中を、または内部コンデンサＣＤＩの積層パネルの他の特定の部分間を循環する熱伝達流体を加熱する。次いで、この加熱された熱伝達流体は冷却回路に戻ってポンプＰＥに供給され、暖房モードにおいて加熱された熱伝達流体との交換によってそれを通過する内部空気を加熱するエアヒータＡＲに供給される。従来は、エアヒータＡＲから流れた熱伝達流体は冷却回路の一部分に供給され、モータＭＲを通過し、内部コンデンサＣＤＩに供給される。
【００２３】
本明細書では、「エアヒータ」とは空気／液体熱交換器を意味するものと解される。
【００２４】
さらに、エアヒータＡＲは、暖房／空調設備ＩＣの一部を形成することができることに留意されたい。
【００２５】
外部減圧器ＤＴＥは、暖房モードでのみ使用される。外部減圧器ＤＴＥは、外部コンデンサＣＤＩから来た冷媒流体を冷却および減圧し、その後、その冷媒流体は外部エバポレータＥＥに供給される。外部減圧器ＤＴＥは、減圧され冷却された液体を送出する。
【００２６】
外部エバポレータＥＥは、暖房モードでのみ使用される。外部エバポレータＥＥは、外部空気（冷気）との交換、すなわち、外部空気中に含まれている熱の吸収によって、外部減圧器ＤＴＥから来た冷媒流体（減圧され冷却された液体）を加熱する際に使用される。外部エバポレータＥＥは、そのアウトレットで、気体状の少し加熱された位相の冷媒流体を送出し、その冷媒流体はコンプレッサＣＰに供給されることになる。
【００２７】
外部コンデンサＣＤＥは、外部エバポレータＥＥに隣接している。
【００２８】
本明細書において、「隣接する」とは、外部エバポレータＥＥに接触していること、または外部エバポレータＥＥのすぐ近くに、最も典型的には数センチメートル以内にあること、あるいはむしろ、外部エバポレータＥＥに連結されることと解される。
【００２９】
外部コンデンサＣＤＥは、暖房モードでは、内部コンデンサＣＤＩから来た冷媒流体を収集し、それにより、この冷媒流体を外部減圧器ＤＴＥに供給し、かつ、隣接する外部エバポレータＥＥのための熱源を構成することを担う。次いで、（外部コンデンサＣＤＥで構成される）この熱源は、外部空気の温度が低いときに外部エバポレータＥＥが完全に氷結する可能性を低減するようなものであることを理解されたい。
【００３０】
本明細書では、「氷結する可能性を低減する」とは、外部エバポレータＥＥに関する氷結の発生を可能な限り制限することであると解される。一般に、外部の温度が低く、湿度が高レベルで外部空気速度が低いときにのみ、完全に氷結してしまう可能性がある。
【００３１】
外部コンデンサＣＤＥと連結もしくは機械接触している場合の熱伝導によって、および／または外部コンデンサＣＤＥの通過中に加熱された外部空気（図示のように、外部コンデンサＣＤＥは外部空気の流れと相対して外部エバポレータＥＥの上流に配置されなければならない）によって、外部エバポレータＥＥの加熱を行うことができることに留意することが重要である。
【００３２】
外部コンデンサＣＤＥと外部エバポレータＥＥとは、単一の熱交換器の２つの隣接するサブユニット（好ましくは、連結している）、または２つの隣接する独立した熱交換器を構成することができることが留意されよう。
【００３３】
外部コンデンサＣＤＥは、冷房モードでも機能することができることが留意されよう。そのような場合、暖房／空調設備はまた、図１〜図３に示すような内部減圧器ＤＴＩと内部エバポレータＥＩとを含まなければならない。
【００３４】
内部減圧器ＤＴＩは、冷房モードでのみ使用される。内部減圧器ＤＴＩは、外部コンデンサＣＤＥから来た（液相の）冷媒流体を冷却および減圧し、その後、その冷媒流体は内部エバポレータＥＩに到達する。
【００３５】
内部エバポレータＥＩも冷房モードでのみ使用される。内部エバポレータＥＩは、内部減圧器ＤＴＩから来た冷却され減圧された（液相の）冷媒流体との熱交換によって、内部エバポレータＥＩを通過する内部空気を冷却するために使用される。
【００３６】
冷房モードでは、外部コンデンサＣＤＥを使用して、外部空気との熱交換によって、コンプレッサＣＰから来た冷媒流体（高温の加圧された気体）を予冷却し、それにより、予冷却された（液相の）冷媒流体が内部減圧器ＤＴＩに供給される。
【００３７】
暖房／空調設備ＩＣの機能の検証を容易にするだけでなく、その専有面積を制限するように、暖房／空調設備ＩＣは、以下に記載する三方弁Ｖｊのうちの少なくとも１つを含むことができる。
−  コンプレッサＣＰのアウトレットに結合されたインレットと、内部コンデンサＣＤＩのインレットに結合された第１のアウトレットと、外部コンデンサＣＤＥの第１のインレット／アウトレットと結合された第２のアウトレットとを特徴とする第１のバルブＶ１（ｊ＝１）。
−  内部コンデンサＣＤＩのアウトレットに結合されたインレットと、内部エバポレータＥＩのインレットと結合されたアウトレットと、外部コンデンサＣＤＥの第２のインレット／アウトレットと結合されたインレット／アウトレットとを特徴とする第２のバルブＶ２（ｊ＝２）。
−  第１のバルブＶ１の第２のアウトレットと結合された第１のインレットと、減圧器ＤＴＩのインレットに結合されたアウトレットと、外部コンデンサＣＤＥの第１のインレット／アウトレットに結合されたインレット／アウトレットとを特徴とする第３のバルブＶ３（ｊ＝３）。
−  内部エバポレータＥＩのアウトレットと結合された第１のインレットと、外部エバポレータＥＥのアウトレットと結合された第２のインレットと、コンプレッサＣＰのインレットと結合されたアウトレットとを特徴とする第４のバルブＶ４（ｊ＝４）。
【００３８】
また、図１〜図３に非排他的な方法で示すように、暖房／空調設備ＩＣは、１つまたは複数の脱水リザーバＲＤ１、ＲＤ２を任意選択で含むことができることが留意されよう。図示された例では、暖房／空調設備ＩＣは、外部コンデンサＣＤＥの第１のインレット／アウトレットと外部減圧器ＤＴＥのインレットとの間に配置された第１の脱水リザーバＲＤ１と、外部コンデンサＣＤＥの第２のインレット／アウトレットと内部エバポレータＥＩのインレットとの間に配置された第２の脱水リザーバＲＤ２とを特徴とする。
【００３９】
暖房／空調設備ＩＣの暖房モードについて、図１〜図２の矢印によって表す。この暖房モードでは、冷媒流体はコンプレッサＣＰから内部コンデンサＣＤＩに向かって循環し、そこで使用される（図１）か、または熱交換による内部空気の加熱に単に貢献する（図２）。そのとき、第１のバルブＶ１は、冷媒流体を内部コンデンサＣＤＩへ向けるとように構成される。その後、冷媒流体は、内部コンデンサＣＤＩから、この目的のために構成された第２のバルブＶ２を経由して外部コンデンサＣＤＥへ行く。次いで、隣接する外部エバポレータＥＥを加熱して、それによって、その外部エバポレータＥＥが氷結しないか、またはほんのわずかしか氷結しないようにすることができる。次いで、冷媒流体は、外部コンデンサＣＤＥから、この目的のために構成された第３のバルブＶ３を経由して外部減圧器ＤＴＥへ行く。次いで、冷媒流体は部分的に冷却され、減圧される。次いで、冷媒流体は、外部減圧器ＤＴＥから外部エバポレータＥＥへ行き、そこで、外部空気との熱交換によって加熱される。最後に、冷媒流体は、外部エバポレータＥＥから、この目的のために構成される第４のバルブＶ４を経由して、コンプレッサＣＰへ行き、そこで、加熱され加圧された気体へと変換される。
【００４０】
暖房／空調設備ＩＣの冷房モードについて、図３の矢印によって表す。この冷房モードでは、冷媒流体はコンプレッサＣＰから外部コンデンサＣＤＥに向かって循環し、そこで、外部空気との熱交換によって部分的に冷却される。第１のバルブＶ１および第３のバルブＶ３は、この目的のために構成される。次いで、冷媒流体は外部コンデンサＣＤＥから、この目的のために構成された第２のバルブＶ２を経由して内部減圧器ＤＴＩへ行き、そこで、冷却され減圧される。次いで、冷媒流体は内部減圧器ＤＴＩから内部エバポレータＥＩへ行き、そこで、内部エバポレータＥＩを通過する内部空気を熱交換によって冷却する。次いで、冷媒流体は内部エバポレータＥＩから、この目的のために構成されたバルブＶ４を経由してコンプレッサＣＰへ行き、そこで、加熱され加圧された気体に変換される。
【００４１】
本発明は、以下のうちのいくつかの複数の利点を提供する。
−  任意の追加の加熱デバイスを必要とせず、これは、特に、全電気システムまたはハイブリッドシステムに取り付ける場合に有利である。
−  外部エバポレータのインレットにおけるエンタルピーを減少させつつ、著しく複雑にすることなく、外部の温度が低温、またはむしろ極めて低温であるときに、暖房／空調設備の熱力学的サイクルの収率（性能係数）の改善を可能にし、それにより、冷媒流体の同じスループットを維持しながら、したがって消費エネルギーの量が同じままで、外部エバポレータの蒸発エネルギーを増加させることができる。
【００４２】
本発明は、非排他的な方法で本明細書で上述した暖房／空調設備および車両の実施の方法に限定されるものではなく、むしろ、添付の特許請求の範囲の枠組内の、当業者によって予見され得るすべての変形形態を包含するものである。
【図１】
0005991965.tif 000002
【図２】
0005991965.tif 000003
【図３】
0005991965.tif 000004